(57)【要約】【課題】監視用ビデオカメラの設置スペースを縮小した上で、昼夜間の２４時間にわたって単独でモニタ監視を可能にする。【解決手段】被写体からビデオカメラ本体１のレンズ１１に入射されて分光器１２により分光された光が赤外線阻止フィルタ１３、色分解プリズム（Ａ）１５および可視帯域用ＣＣＤ１７により画像信号に変換されると、レベル判定回路１９により画像信号の電圧レベルが測定されて、この測定電圧レベルと基準電圧レベルとが比較されて、２種類の電圧レベル（ＨレベルまたはＬレベル）のどちらに属しているかが判定され、その判定された電圧レベルに基づいてスイッチング回路２０が制御され、可視帯域用ＣＣＤ１７または赤外線帯域用ＣＣＤ１８で生成された画像信号のいずれかが選択されてモニタ２に出力される。【選択図】　　図１
2004023517.tif 000002
【特許請求の範囲】
【請求項１】
被写体から対物レンズを通過した光束から被写体の画像信号を得る監視用ビデオカメラであって、
前記対物レンズを通過した光束を２系統に分光する分光手段と、
この分光手段で分光された一方の系統の光束を入射し、所定の帯域の画像信号を得る第１の撮像手段と、
前記分光手段で分光された他方の系統の光束を入射し、前記第１の撮像手段で撮像する光束とは異なる帯域の画像信号を得る第２の撮像手段と、
前記第１または第２の撮像手段で得られた画像信号の電圧レベルを基準レベルと比較判定する判定手段と、
この判定手段による判定結果に基づいて、前記第１および第２の撮像手段の出力のうちいずれかの一方を選択的に導出する切替手段と、
を備えたことを特徴とする監視用ビデオカメラ。
【請求項２】
前記第１の撮像手段は、前記対物レンズを通過した光束から赤外線帯域の光束を阻止する赤外線阻止手段を備え、
前記第２の撮像手段は、前記対物レンズを通過した光束から赤外線帯域の光束のみを透過する赤外線透過手段を備えることを特徴とする請求項１に記載の監視用ビデオカメラ。
【請求項３】
前記判定手段は、前記第１または第２の撮像手段で得られた画像信号の電圧レベルを測定し、この電圧レベルと予め設定された基準レベルとを比較して、前記画像信号の電圧レベルが前記基準レベルより高いか低いかを判定し、
前記切替手段は、前記判定手段により、前記画像信号の電圧レベルが前記基準レベルより高いと判定された場合には、前記第１の撮像手段の出力を導出し、前記画像信号の電圧レベルが前記基準レベルより低いと判定された場合には、前記第２の撮像手段の出力を導出することを特徴とする請求項１に記載の監視用ビデオカメラ。
【請求項４】
前記判定手段は、前記画像信号の電圧レベルを、予め設定された第１の基準レベルおよび第２の基準レベルの２つの基準レベルと比較し、前記画像信号の電圧レベルが前記第２の基準レベルより高い状態から低い状態に変化した場合に、基準レベルより高いと判定し、前記画像信号の電圧レベルが前記第１の基準レベルより低い状態から高い状態に変化した場合に、基準レベルより低いと判定することを特徴とする請求項３に記載の監視用ビデオカメラ。
【発明の詳細な説明】
【０００１】
【発明の属する技術分野】
本発明は、昼夜間に用いられる監視用ビデオカメラに関する。
【０００２】
【従来の技術】
従来、昼夜間の２４時間において監視用ＣＣＤビデオカメラを用いてモニタ監視を行う場合には、別途照明装置を設置して、夜間にはその照明装置で被写体を照射して監視する方法がある。あるいは、昼用のＣＣＤカメラ（可視光線ＣＣＤカメラ）及び夜間用のＣＣＤカメラ（赤外線ＣＣＤカメラ）を設置して昼間を通じて監視を行う方法がある。
【０００３】
また、別の方法として、赤外線撮像が可能な１台のＣＣＤカメラの前に、着脱可能な赤外線阻止フィルタを設置した上で、昼間には赤外線阻止フィルタを用いて可視光線撮像による監視を行い、夜間には赤外線阻止フィルタを機械的駆動により取外して赤外線撮像による監視を行う方法がある。
【０００４】
【発明が解決しようとする課題】
しかしながら、照明装置を用いる方法では、その照明装置がスペース上設置できない場合には利用することが出来ない問題があり、前記昼用のＣＣＤカメラ及び夜間用のＣＣＤカメラを併用する方法では、各ＣＣＤカメラを収納するためのスペースが必要となり、また、２台のＣＣＤカメラがそれぞれ独立して監視を行うために、それぞれ専用の表示モニタを設けなければならない問題があった。また、赤外線阻止フィルタを用いる方法では、赤外線阻止フィルタを取外している際の退避用スペースが必要になり、その退避用スペース分、カメラを収納するためのケースが大型化する上に、赤外線阻止フィルタを機械的駆動によって着脱するために故障の発生する可能性が高くなる問題があった。
【０００５】
本発明は、上記課題に鑑みなされたもので、設置スペースを縮小した上で、昼夜間の２４時間にわたって単独でモニタ監視することが可能になる監視用ビデオカメラを提供することを目的とする。
【０００６】
【課題を解決するための手段】
本発明に係わる監視用カメラは、被写体から対物レンズを通過した光束から被写体の画像信号を得る監視用ビデオカメラであって、前記対物レンズを通過した光束を２系統に分光する分光手段と、この分光手段で分光された一方の系統の光束を入射し、所定の帯域の画像信号を得る第１の撮像手段と、前記分光手段で分光された他方の系統の光束を入射し、前記第１の撮像手段で撮像する光束とは異なる帯域の画像信号を得る第２の撮像手段と、前記第１または第２の撮像手段で得られた画像信号の電圧レベルを基準レベルと比較判定する判定手段と、この判定手段による判定結果に基づいて、前記第１および第２の撮像手段の出力のうちいずれかの一方を選択的に導出する切替手段とを備えたことを特徴とする。
【０００７】
本発明に係わる監視用カメラでは、被写体から対物レンズを通過した光束からそれぞれ異なる撮像帯域特性を有する第１の撮像手段または第２の撮像手段により画像信号が得られて、前記第１の撮像手段又は第２の撮像手段で得られた画像信号の電圧レベルが測定され、この電圧レベルに基づいて、第１の撮像手段および第２の撮像手段で得られた画像信号のうち一方が切替手段により選択されることになる。
【０００８】
従って、カメラ本体内に、互いに撮影帯域特性を有する第１及び第２の撮像手段を内蔵しただけでなく、対物レンズ及び光学部品を第１及び第２の撮像手段で共用できるようにし、かつ第１及び第２の撮像手段の出力のうち一方の電圧レベルを測定して得られた結果から第１及び第２の撮像手段の出力のうち一方を選択的に導出し、その選択出力を１台の表示モニタに供給する構成であるので、第１の撮像手段の出力用及び第２の撮像手段の出力用に表示モニタを用意する場合に比して設置スペースを少なくでき、昼夜問わず被写体をモニタすることができる。
【０００９】
また、赤外線阻止フィルタを使用する場合には、この赤外線阻止フィルタを第１の撮像手段に固定的に設けるようにしているので、赤外線阻止フィルタを駆動させるための駆動機構が不要となる分、カメラ本体の小型化を図ることができ、故障を発生させずに済む。
【００１０】
【発明の実施の形態】
以下図面により本発明の実施形態について説明する。
【００１１】
図１は、本発明の実施形態に係わる監視ビデオカメラの構成を示すブロック図である。
【００１２】
図１に示すように、この監視ビデオカメラは、被写体の撮影を行うビデオカメラ本体１と、ビデオカメラ本体１で撮影された画像を表示するモニタ２で構成される。
【００１３】
ビデオカメラ本体１は、レンズ（対物レンズ）１１、分光器１２、赤外線阻止フィルタ１３、赤外線透過フィルタ１４、色分解プリズム（Ａ）１５、色分解プリズム（Ｂ）１６、可視帯域用ＣＣＤ１７、赤外線帯域用ＣＣＤ１８、レベル判定回路１９、スイッチング回路２０および信号処理回路２１で構成される。
【００１４】
レンズ１１、分光器１２、赤外線阻止フィルタ１３、赤外線透過フィルタ１４、色分解プリズム（Ａ）１５および色分解プリズム（Ｂ）１６は、被写体からレンズ１１に入射した入射光（光学像）が図１に示す光路を通過して可視帯域用ＣＣＤ１７および赤外線帯域用ＣＣＤ１８に入射するように、レンズ１１に対して分光器１２が、分光器１２に対して、赤外線阻止フィルタ１３、色分解プリズム（Ａ）１５および可視帯域用ＣＣＤ１７が直列に配置されるとともに、赤外線透過フィルタ１４、色分解プリズム（Ｂ）１６および赤外線帯域用ＣＣＤ１８が直列に配置される。
【００１５】
可視帯域用ＣＣＤ１７は、レベル判定回路１９を介してスイッチング回路２０に接続され、赤外線帯域用ＣＣＤ１８は、スイッチング回路２０に接続される。
【００１６】
また、レベル判定回路１９は、スイッチング回路２０に接続され、このスイッチング回路２０には、信号処理回路２１およびモニタ２が直列に接続される。
【００１７】
分光器１２は、レンズ１１への入射光を２つに分光させる。つまり、レンズ１１に入射した光を、赤外線阻止フィルタ１３および赤外線透過フィルタ１４に入射させる。
【００１８】
赤外線阻止フィルタ１３は、分光器１２から入射された光に対して赤外線帯域の光をカットして、可視帯域の光のみを透過させ、赤外線透過フィルタ１４は、分光器１２から入射された光に対して赤外線帯域以外の光をカットして赤外線帯域の光のみを透過させる。
【００１９】
色分解プリズム（Ａ）１５および色分解プリズム（Ｂ）１６は、赤外線阻止フィルタ１３および赤外線透過フィルタ１４からそれぞれ入射された光を光の３原色である赤色、青色および緑色の光に色分解して、可視帯域用ＣＣＤ１７および赤外線帯域用ＣＣＤ１８へそれぞれ入射させる。
【００２０】
色分解プリズム（Ｂ）１６に入射する光は、赤外線透過フィルタ１４により可視帯域の光がカットされるので、この色分解プリズム（Ｂ）１６を通過しても赤色、青色および緑色には分解されないが、この赤外線透過フィルタ１４は可視帯域の光を完全にはカットしないで赤外線帯域に近隣する帯域である赤色の可視帯域の光に関してはそのまま通過させるので、赤外線透過フィルタ１４を通過した光は赤みがかった色の光になる。
【００２１】
つまり、可視帯域用ＣＣＤ１７は、赤外線透過フィルタ１４および色分解プリズム（Ａ）１５を介して色分解されて入射された可視光線帯域の光を画像信号に変換し、赤外線帯域用ＣＣＤ１８は、赤外線阻止フィルタ１３および色分解プリズム（Ｂ）１６を介して入射された赤外線帯域の光を画像信号に変換する。
【００２２】
これらの可視帯域用ＣＣＤ１７および赤外線帯域用ＣＣＤ１８はともに同様の構成であり、赤外線阻止フィルタ１３または赤外線透過フィルタ１４を光路内に用いない状態では、可視帯域および赤外線帯域の光をともに画像信号に変換することができる。
【００２３】
レベル判定回路１９は、可視帯域用ＣＣＤ１７から出力された画像信号の電圧レベルを測定して、その測定された電圧レベル（測定電圧レベル）を所定の基準電圧レベル（しきい値）と比較して、この基準電圧レベルより高い電圧レベルに属するのか低い電圧レベルに属するのかを示す２種類の判定電圧レベル（ＨレベルまたはＬレベル）を判定すると共に、この判定電圧レベルの情報をスイッチング回路２０に出力する。つまり、可視帯域用ＣＣＤ１７で生成される画像信号の電圧レベルはレンズ１１に入射する入射光の強さに比例するので、この画像信号の電圧レベルに基づいて可視帯域の光の強弱を判定して、被写体を可視帯域用ＣＣＤ１７で撮像するのか赤外線帯域用ＣＣＤ１８で撮像するのかを決定することになる。
【００２４】
スイッチング回路２０は、信号処理回路２１に出力する画像信号を可視帯域用ＣＣＤ１７から出力される画像信号又は赤外線帯域用ＣＣＤ１８から出力される画像信号のいずれかに切り替える。
【００２５】
信号処理回路２１は、モニタ２に出力するためのＮＴＳＣ形式の画像信号を生成する回路で、スイッチング回路２０を介して可視帯域用ＣＣＤ１７から出力された画像信号をカラー画像信号に変換し、赤外線帯域用ＣＣＤ１８から出力された画像信号を白黒画像信号に変換する。
【００２６】
図２は、本発明の実施形態に係わる監視カメラシステムのビデオカメラ本体１内の構成を示すブロック図であり、同図（ａ）は、本発明の実施形態に係わる監視ビデオカメラのビデオカメラ本体１に備えられる色分解プリズム（Ａ）１５および可視帯域用ＣＣＤ１７の構成を示すブロック図であり、同図（ｂ）は、本発明の実施形態に係わる監視ビデオカメラのビデオカメラ本体１に備えられる色分解プリズム（Ｂ）１６および赤外線帯域用ＣＣＤ１８の構成を示すブロック図である。
【００２７】
図２（ａ），（ｂ）に示すように、可視帯域用ＣＣＤ１７および赤外線帯域用ＣＣＤ１８は、実際には、赤色光用ＣＣＤ３１、青色光用ＣＣＤ３２および緑色光用ＣＣＤ３３でそれぞれ構成されており、可視帯域用ＣＣＤ１７の赤色光用ＣＣＤ３１、青色光用ＣＣＤ３２および緑色光用ＣＣＤ３３が、色分解プリズム（Ａ）１５から接続されるとともに、レベル判定回路１９を介して画像信号伝送路Ｓ１、Ｓ２、Ｓ３および電圧レベル信号伝送路Ｓ４を介してスイッチング回路２０に接続される。
【００２８】
この画像信号伝送路Ｓ１〜Ｓ３は、それぞれ赤色光用ＣＣＤ３１、青色光用ＣＣＤ３２および緑色光用ＣＣＤ３３から出力された画像信号を伝送するものであり、電圧レベル信号伝送路Ｓ４は、レベル判定回路２０により判定された電圧レベルを示す電圧レベル信号を伝送するものである。
【００２９】
また、赤外線帯域用ＣＣＤ１８の赤色光用ＣＣＤ３１、青色光用ＣＣＤ３２および緑色光用ＣＣＤ３３が色分解プリズム（Ａ）１５から接続されるとともに、スイッチング回路２０に接続される。
【００３０】
つまり、可視帯域用ＣＣＤ１７および赤外線帯域用ＣＣＤ１８は、３つに分解された光をそれぞれ画像信号に変換してスイッチング回路２０に出力する。
【００３１】
この赤外線帯域用ＣＣＤ１８において色分解プリズム（Ｂ）１６を用いるのは、
図１に示すように、信号処理回路２１が、可視帯域用ＣＣＤ１７で生成された画像信号と赤外線帯域用ＣＣＤ１８で生成された画像信号をともに処理する構成であるので、可視帯域用ＣＣＤ１７で生成された画像信号と同様に３つの画像信号に分解して信号処理回路２１に入力する必要があるためである。
【００３２】
図３は、本発明の実施形態に係わる監視ビデオカメラのビデオカメラ本体１に備えられるスイッチング回路２０の構成を示す図である。
【００３３】
図３に示すように、スイッチング回路２０は、スイッチング制御部４１およびスイッチング切り替え部４２で構成される。
【００３４】
なお、スイッチング切り替え部４２は、トランジスタのスイッチング作用による電気式スイッチであり、スイッチ（Ａ）４２ａ、スイッチ（Ｂ）４２ｂ、スイッチ（Ｃ）４２ｃ、スイッチ（Ｄ）４２ｄ、スイッチ（Ｅ）４２ｅ、スイッチ（Ｆ）４２ｆ、接点４２ｇ、接点４２ｈおよび接点４２ｉで構成される。
【００３５】
スイッチング制御部４１は、レベル判定回路１９より接続されるとともに、スイッチング切り替え部４２に接続される。
【００３６】
スイッチング切り替え部４２のスイッチ（Ａ）４２ａ〜スイッチ（Ｃ）４２ｃは可視帯域用ＣＣＤ１７より接続されて、スイッチ（Ｄ）４２ｄ〜スイッチ（Ｆ）４２ｆは赤外線帯域用ＣＣＤ１８より接続される。
【００３７】
なお、スイッチ（Ａ）４２ａおよびスイッチ（Ｄ）４２ｄは接点４２ｇを介して、スイッチ（Ｂ）４２ｂおよびスイッチ（Ｅ）４２ｅは接点４２ｈを介して、スイッチ（Ｃ）４２ｃおよびスイッチ（Ｆ）４２ｆは接点４２ｉを介して信号処理回路２１にそれぞれ接続される。
【００３８】
スイッチング制御部４１は、レベル判定回路１９から出力された電圧レベル信号に基づいて、スイッチング切り替え部４２内のスイッチ（Ａ）４２ａ〜スイッチ（Ｆ）４２ｆのオン・オフ制御をする。
【００３９】
図４は、本発明の実施形態に係わる監視ビデオカメラのビデオカメラ本体１に備えられる信号処理回路２１の構成を示す図である。
【００４０】
図４に示すように、信号処理回路２１は、入力部（Ａ）５１、入力部（Ｂ）５２、入力部（Ｃ）５３、プリアンプ部５４、プロセスアンプ部５５、エンコーダ部５６および出力部５７で構成される。
【００４１】
入力部（Ａ）５１〜入力部（Ｃ）５３は、それぞれスイッチング回路２０から接続され、これらの入力部（Ａ）５１〜入力部（Ｃ）５３に対してプリアンプ部５４が接続され、このプリアンプ部５４にはプロセスアンプ部５５、エンコーダ部５６および出力部５７が直列に接続されて、出力部５７はモニタ２に接続される。
【００４２】
入力部（Ａ）５１〜入力部（Ｃ）５３には、可視帯域用ＣＣＤ１７または赤外線帯域用ＣＣＤ１８の赤色光用ＣＣＤ３１、青色光用ＣＣＤ３２および緑色光用ＣＣＤ３３から出力された画像信号が入力される。
【００４３】
プリアンプ部５４は、入力部（Ａ）５１〜入力部（Ｃ）５３に入力された画像信号を、信号処理が可能になる信号レベルまで増幅する。
【００４４】
プロセスアンプ部５５は、プリアンプ部５４で増幅された画像信号に対して、信号補正および信号補償を行う。
【００４５】
エンコーダ部５６は、プロセスアンプ部５５で処理された映像信号に対して、所定の映像出力形式（ここではＮＴＳＣ形式）に適合するように輝度および色信号の演算ならびに搬送信号の合成などを行う。
【００４６】
図５は、本発明の実施形態に係わる監視ビデオカメラのビデオカメラ本体１に備えられるレベル判定回路１９の構成を示す図である。
【００４７】
図５に示すように、レベル判定回路１９は、画像信号入力部６１、電圧測定部６２、基準部６３、電圧レベル判定部６４、画像信号出力部６５で構成される。
【００４８】
画像信号入力部６１は、可視帯域用ＣＣＤ１７から接続され、この画像信号入力部６１には、画像信号出力部６５が接続されるとともに、電圧測定部６２が接続される。
【００４９】
この電圧測定部６２には、電圧レベル判定部６４が接続される。
【００５０】
基準部６３には電圧レベル判定部６４が接続される。
【００５１】
電圧レベル判定部６４は、電圧レベル信号伝送路Ｓ４を介してスイッチング回路２０に接続される。
【００５２】
画像信号出力部６５にはスイッチング回路２０が画像信号伝送路Ｓ１〜Ｓ３を介して接続される。
【００５３】
電圧測定部６２は、可視帯域用ＣＣＤ１７１８から画像信号入力部６１に入力された画像信号の電圧レベルを測定する。
【００５４】
基準部６３は、電圧レベル判定部６４による電圧レベル判定の基準値となる基準電圧レベル信号を出力する。
【００５５】
電圧レベル判定部６４は、電圧測定部６２により測定された画像信号の測定電圧レベルと基準部６３から出力される基準電圧レベルとを比較して、ＨレベルまたはＬレベルで区分される判定電圧レベルを判定するとともに、この判定電圧レベルを示す信号を、電圧レベル信号伝送路Ｓ４を介してスイッチング回路２０に出力する。
【００５６】
画像信号出力部６５は、画像信号入力部６１に入力された画像信号をスイッチング回路２０に備えられるスイッチング切り替え部４２内のスイッチ（Ａ）４２ａ〜スイッチ（Ｃ）４２ｃに出力する。
【００５７】
次に、前記構成による監視ビデオカメラの動作について説明する。
【００５８】
まず、被写体からの光がレンズ１１に入射して集光されたら、その集光された光が分光器１２により２つの光に分光されて、赤外線阻止フィルタ１３および赤外線透過フィルタ１４にそれぞれ入射される。
【００５９】
赤外線阻止フィルタ１３に入射された光は、赤外線帯域の光がカットされて、可視帯域のみの光として色分解プリズム（Ａ）１５に入射される。
【００６０】
また、赤外線透過フィルタ１４に入射された光は、赤色の光が一部透過する他は可視帯域の光がカットされて、赤外線帯域とその近隣の帯域のみの光として色分解プリズム（Ｂ）１６に入射される。
【００６１】
赤外線阻止フィルタ１３からの光が色分解プリズム（Ａ）１５に入射されると、その入射された可視帯域の光が赤、青および緑の３色に色分解されて、可視帯域用ＣＣＤ１７の赤色光用ＣＣＤ３１、青色光用ＣＣＤ３２および緑色光用ＣＣＤ３３にそれぞれ入射される。
【００６２】
赤外線透過フィルタ１６からの光が色分解プリズム（Ｂ）１６に入射されると、その入射された赤外線帯域の光が赤外線帯域用ＣＣＤ１８の赤色光用ＣＣＤ３１、青色光用ＣＣＤ３２および緑色光用ＣＣＤ３３にそれぞれ入射される。
【００６３】
色分解プリズム（Ａ）１６からの光が可視帯域用ＣＣＤ１７の赤色光用ＣＣＤ３１、青色光用ＣＣＤ３２および緑色光用ＣＣＤ３３に入力されると、それぞれの光が赤色、青色および緑色に対応した画像信号に変換されて、レベル判定回路１９を介してスイッチング回路２０に出力される。
【００６４】
色分解プリズム（Ｂ）１６からの光が赤外線帯域用ＣＣＤ１８の赤色光用ＣＣＤ３１、青色光用ＣＣＤ３２および緑色光用ＣＣＤ３３に入力されると、それぞれの光が画像信号に変換されてスイッチング回路２０に出力される。
【００６５】
そして、可視帯域用ＣＣＤ１７で生成された画像信号がレベル判定回路１９の画像信号入力部６１に入力されると、そのまま画像信号出力部６５に出力されるとともに、赤色、青色および緑色の画像信号に含まれる輝度信号が抽出されて、電圧測定部６２に出力される。
【００６６】
画像信号出力部６５に入力された画像信号はスイッチング回路２０に出力される。
【００６７】
輝度信号が電圧測定部６２に入力されると、画像信号の輝度に基づいた電圧レベルの測定が行われ、この測定された電圧レベルを示す測定電圧レベル信号が電圧測定部６２から電圧レベル判定部６４に出力される。
【００６８】
基準部６３からは、画像信号の判定電圧レベル（ＨレベルまたはＬレベル）の判定基準となる基準電圧レベルを示す基準電圧レベル信号が常に電圧レベル判定部６４に出力され、測定電圧レベル信号が電圧レベル判定部６４に入力されると、この測定電圧レベル信号で示される測定電圧レベルと基準電圧レベル信号に示される基準電圧レベルとが比較される。
【００６９】
図６は、本発明の実施形態に係わる監視ビデオカメラに備えられるビデオカメラ本体１内のレベル判定回路１９で測定される測定電圧レベル、基準電圧レベルおよび判定電圧レベルとの関係を示す図である。
【００７０】
図６に示すように、電圧レベル判定部６４による比較の結果により、測定電圧レベル信号に示される測定電圧レベルが基準電圧レベル信号の示す基準電圧レベルより高い電圧レベルである場合には、判定電圧レベルがＨレベルと判定され、測定電圧レベル信号の測定電圧レベルが基準電圧レベルと同じか低い電圧レベルである場合には、判定電圧レベルがＬレベルと判定されて、判定電圧レベルがＨレベルかＬレベルかを示す電圧レベル信号が電圧レベル信号伝送路Ｓ４を介してスイッチング回路２０に出力される。
【００７１】
例えば、Ｈレベルを示す電圧レベル信号がスイッチング回路２０内のスイッチング制御部４１に入力された場合には、スイッチング切り替え部４２のスイッチを可視帯域用ＣＣＤ１７側に設定する。すなわちスイッチ（Ａ）４２ａ〜スイッチ（Ｃ）４２ｃのみをオン状態に設定するとともに残りのスイッチをオフ状態に設定する切り替え制御信号（Ａ）がスイッチング制御部４１からスイッチング切り替え部４２に出力される。
【００７２】
一方、Ｌレベルを示す電圧レベル信号がスイッチング回路２０のスイッチング制御部４１に入力された場合には、スイッチング切り替え部４２のスイッチを赤外線帯域用ＣＣＤ１８側に設定する、すなわちスイッチ（Ｄ）４２ｄ〜スイッチ（Ｆ）４２ｆのみをオン状態に設定して、残りのスイッチをオフ状態に設定する切り替え制御信号（Ｂ）がスイッチング制御部４１からスイッチング切り替え部４２に出力される。
【００７３】
切り替え制御信号（Ａ）がスイッチング制御部４１からスイッチング切り替え部４２に入力されると、スイッチング切り替え部４２のスイッチ（Ａ）４２ａ〜スイッチ（Ｃ）４２ｃが前記オン状態に設定されて、可視帯域用ＣＣＤ１７から出力された画像信号が信号処理回路２１に出力される。
【００７４】
また、前記切り替え制御信号（Ｂ）がスイッチング制御部４１からスイッチング切り替え部４２に入力されると、スイッチング切り替え部４２のスイッチ（Ｄ）４２ｄ〜スイッチ（Ｆ）４２ｆがオン状態に設定されて、赤外線帯域用ＣＣＤ１８から出力された画像信号が信号処理回路２１に出力される。
【００７５】
このスイッチング回路２０のスイッチング切り替え部４２が可視帯域用ＣＣＤ１７側に設定される場合、すなわちスイッチング切り替え部４２内のスイッチ（Ａ）４２ａ〜スイッチ（Ｃ）４２ｃのみがオン状態になっていれば、可視帯域用ＣＣＤ１７から出力された画像信号は信号処理回路２１に出力されるが、赤外線帯域用ＣＣＤ１８から出力された画像信号は信号処理回路２１に出力されない。
【００７６】
一方、スイッチング回路２０の切り替えスイッチが赤外線帯域用ＣＣＤ１８側に設定される、すなわちスイッチング切り替え部４２内のスイッチ（Ｄ）４２ｄ〜スイッチ（Ｆ）４２ｆのみがオン状態になっていれば、赤外線帯域用ＣＣＤ１８から出力された画像信号は信号処理回路２１に出力されるが、可視帯域用ＣＣＤ１７から出力された画像信号は信号処理回路２１に出力されない。
【００７７】
例えば、スイッチング回路２０のスイッチング切り替え部４２が可視帯域用ＣＣＤ１７側に設定された状態で、この可視帯域用ＣＣＤ１７から出力された画像信号がスイッチング回路２０を介して信号処理回路２１の入力部（Ａ）５１〜入力部（Ｂ）５３に入力されると、その画像信号が信号処理回路２１内のプリアンプ部５４、プロセスアンプ部５５およびエンコーダ部５６によりカラー画像信号に変換されて、出力部５７を介してモニタ２に出力される。
【００７８】
一方、スイッチング回路２０のスイッチング切り替え部４２が赤外線帯域用ＣＣＤ１８側に設定された状態で、この赤外線帯域用ＣＣＤ１８から出力された画像信号がスイッチング回路２０を介して信号処理回路２１の入力部（Ａ）５１〜入力部（Ｂ）５３に入力されると、その画像信号が信号処理回路２１内のプリアンプ部５４、プロセスアンプ部５５およびエンコーダ部５６により白黒画像信号に変換されて出力部５７を介してモニタ２に出力される。
【００７９】
つまり、可視帯域用ＣＣＤ１７から出力された画像信号の判定電圧レベルがＨレベルの場合すなわちレンズ１１に入射された光の量が多い場合には、可視帯域用ＣＣＤ１７によって撮像された画像信号がモニタ２に出力され、画像信号の判定電圧レベルがＬレベルの場合すなわちレンズ１１に入射された光の量が少ない場合には、赤外線帯域用ＣＣＤ１８によって撮像された画像信号がモニタ２に出力される。
【００８０】
なお、測定電圧レベルと、基準部６３から出力される基準電圧レベル信号に示される基準電圧レベルとは常に比較されるため、時刻の経過により、可視帯域用ＣＣＤ１７に入射される光の強さすなわち可視帯域用ＣＣＤ１７で生成された画像信号の測定電圧レベルが変化して基準電圧レベルを上回った場合には、判定電圧レベルがＨレベルと判定しなおされて、測定電圧レベルが基準電圧レベルを下回った場合には、Ｌレベルと判定しなおされる。
【００８１】
したがって、前記構成の監視ビデオカメラでは、被写体からビデオカメラ本体１のレンズ１１に入射されて分光器１２により分光された光が赤外線阻止フィルタ１３、色分解プリズム（Ａ）１５および可視帯域用ＣＣＤ１７により画像信号に変換されると、レベル判定回路１９により画像信号の電圧レベルが測定されて、その測定電圧レベルと基準電圧レベルとが比較されて、２種類の判定電圧レベル（ＨレベルまたはＬレベル）のどちらに属しているかが判定される。そして、その判定された判定電圧レベルに基づいてスイッチング回路２０のスイッチング切り替え部４２が制御され、可視帯域用ＣＣＤ１７または赤外線帯域用ＣＣＤ１８で生成された画像信号のいずれかが選択されてモニタ２に出力されるので、監視用ビデオカメラの設置スペースを縮小した上で、昼夜間の２４時間にわたって単独でモニタ監視が可能になる。
【００８２】
本実施形態では、電圧レベル判定部６４により画像信号の入力レベルを判定する基準となる基準電圧レベルは１つであったが、この基準電圧レベルに替えて、判定電圧レベルをＨレベルに切り替える基準となる第１の基準電圧レベルおよび第１の基準電圧レベルより低い基準電圧レベルであり、かつ判定電圧レベルをＬレベルに切り替える基準電圧レベルである第２の基準電圧レベルの２つの基準電圧レベルを設けて判定電圧レベルの判定をしてもよい。
【００８３】
図７は、本発明とは別の実施形態に係わる監視ビデオカメラに備えられるビデオカメラ本体１内のレベル判定回路１９で測定される測定電圧レベル、基準電圧レベルおよび判定電圧レベルとの関係を示す図である。
【００８４】
図７に示すように、例えば、画像信号の測定電圧レベルが第１の基準電圧レベルより高い電圧レベルである状態で、測定電圧レベルが第１の基準電圧レベルより低い電圧レベルに減少しても判定電圧レベルはＨレベルのまま変わらず、測定電圧レベルが第２の基準電圧レベルを下回った場合には、Ｌレベルと判定される。
【００８５】
また、測定電圧レベルが増加して、前記第２の基準電圧レベルより高い電圧レベルに増加しても判定電圧レベルはＬレベルのまま変わらず、測定電圧レベルが第１の基準電圧レベルを上回った場合には、Ｈレベルと判定される。
【００８６】
つまり、測定電圧レベルが第１の基準電圧レベルより低い状態から高い状態に変化した場合にのみに判定電圧レベルがＨレベルに切り替わり、測定電圧レベルが第２の基準電圧レベルより高い状態から低い状態に変化した場合にのみに判定電圧レベルがＬレベルに切り替わる。
【００８７】
これにより、基準電圧レベルが１つの場合に比べて、小刻みな測定電圧レベルの変動があっても判定電圧レベルが切り替わらずに、判定電圧レベルが安定することになる。
【００８８】
また、本実施形態では、レンズ１１に入射した光を、分光器１２などを介して可視帯域用ＣＣＤ１７および赤外線帯域用１８の２つのＣＣＤに入射させた上で、２種類の判定電圧レベルのうちどちらに属するかを判定して、可視帯域用ＣＣＤ１７および赤外線帯域用１８の得られた画像のうちいずれか１つの画像の出力を選択する構成としたが、３種類以上のＣＣＤを用いて、それぞれのＣＣＤで得られた画像ののうちいずれかの画像の出力を選択したい場合には、分光器１２の代わりに、ＣＣＤの数に対応した数の光に分光できる分光器を用いた上で、分光させた光をそれぞれのＣＣＤに入射させて、いずれか１つのＣＣＤで生成された画像信号を、レベル判定回路１９の代わりにＣＣＤの数に対応する数の判定電圧レベルが判定できるレベル判定回路に入力させて、このレベル判定回路内で測定電圧レベルとＣＤＤの数に対応した数の基準電圧レベルとを比較することで判定電圧レベルを判定して、画像の出力を選択する構成としてもよい。
【００８９】
【発明の効果】
以上のように、本発明に係わる監視用ビデオカメラによれば、被写体から対物レンズを通過した光束からそれぞれ異なる撮像帯域特性を有する第１の撮像手段または第２の撮像手段により画像信号が得られて、前記第１の撮像手段又は第２の撮像手段で得られた画像信号の電圧レベルが測定され、この電圧レベルに基づいて、第１の撮像手段および第２の撮像手段で得られた画像信号のうち一方が切替手段により選択されるようになる。
【００９０】
これにより、カメラ本体内に、互いに撮影帯域特性を有する第１及び第２の撮像手段を内蔵しただけでなく、対物レンズ及び光学部品を第１及び第２の撮像手段で共用できるようにし、かつ第１及び第２の撮像手段の出力のうち一方の電圧レベルを測定して得られた結果から第１及び第２の撮像手段の出力のうち一方を選択的に導出し、その選択出力を１台の表示モニタに供給する構成であるので、第１の撮像手段の出力用及び第２の撮像手段の出力用に表示モニタを用意する場合に比して設置スペースを少なくでき、昼夜問わず被写体をモニタすることができる。
【００９１】
また、赤外線阻止フィルタを使用する場合には、この赤外線阻止フィルタを第１の撮像手段に固定的に設けるようにしているので、赤外線阻止フィルタを駆動させるための駆動機構が不要となる分、カメラ本体の小型化を図ることができ、故障を発生させずに済む。
【００９２】
したがって、本発明は、監視用ビデオカメラの設置スペースを縮小した上で、昼夜間の２４時間にわたって単独でモニタ監視が可能になる。
【図面の簡単な説明】
【図１】本発明の実施形態に係わる監視ビデオカメラの構成を示すブロック図。
【図２】本発明の実施形態に係わる監視ビデオカメラのビデオカメラ本体内の構成を示すブロック図であり、同図（ａ）は、本発明の実施形態に係わる監視ビデオカメラのビデオカメラ本体１に備えられる色分解プリズム（Ａ）および可視帯域用ＣＣＤの構成を示すブロック図であり、同図（ｂ）は、本発明の実施形態に係わる監視ビデオカメラのビデオカメラ本体に備えられる色分解プリズム（Ｂ）および赤外線帯域用ＣＣＤの構成を示すブロック図である。
【図３】本発明の実施形態に係わる監視ビデオカメラのカメラ本体に備えられるスイッチング回路の構成を示す図。
【図４】本発明の実施形態に係わる監視ビデオカメラのカメラ本体に備えられる信号処理回路の構成を示す図。
【図５】本発明の実施形態に係わる監視ビデオカメラのカメラ本体に備えられるレベル判定回路の構成を示す図。
【図６】本発明の実施形態に係わる監視ビデオカメラに備えられるカメラ本体内のレベル判定回路で測定される測定電圧レベル、基準電圧レベルおよび電圧レベルとの関係を示す図。
【図７】本発明とは別の実施形態に係わる監視ビデオカメラに備えられるカメラ本体内のレベル判定回路で測定される測定電圧レベル、基準電圧レベルおよび電圧レベルとの関係を示す図。
【符号の説明】
１・・・カメラ本体
２・・・モニタ
１１・・・レンズ（対物レンズ）
１２・・・分光器
１３・・・赤外線阻止フィルタ
１４・・・赤外線透過フィルタ
１５・・・色分解プリズム（Ａ）
１６・・・色分解プリズム（Ｂ）
１７・・・可視帯域用ＣＣＤ
１８・・・赤外線帯域用ＣＣＤ
１９・・・レベル判定回路
２０・・・スイッチング回路
２１・・・信号処理回路
３１・・・赤色光用ＣＣＤ
３２・・・青色光用ＣＣＤ
３３・・・緑色光用ＣＣＤ
４１・・・スイッチング制御部
４２・・・スイッチング切り替え部
４２ａ・・・スイッチ（Ａ）
４２ｂ・・・スイッチ（Ｂ）
４２ｃ・・・スイッチ（Ｃ）
４２ｄ・・・スイッチ（Ｄ）
４２ｅ・・・スイッチ（Ｅ）
４２ｆ・・・スイッチ（Ｆ）
５１・・・入力部（Ａ）
５２・・・入力部（Ｂ）
５３・・・入力部（Ｃ）
５４・・・プリアンプ部
５５・・・プロセスアンプ部
５６・・・エンコーダ部
５７・・・処理信号出力部
６１・・・画像信号入力部
６２・・・電圧測定部
６３・・・基準部
６４・・・電圧レベル判定部
６５・・・画像信号出力部
【図１】
2004023517.tif 000003
【図２】
2004023517.tif 000004
【図３】
2004023517.tif 000005
【図４】
2004023517.tif 000006
【図５】
2004023517.tif 000007
【図６】
2004023517.tif 000008
【図７】
2004023517.tif 000009